(57)【要約】  【課題】  楽曲の検索に着目して最適な電子掲示板システムに利用者を誘導する。  【解決手段】  楽曲検索システム２００のサウンド信号受信部２０１は、サウンド信号を受信し、特徴量抽出部２０２が、特徴量を抽出する。楽曲特定部２０３は、サウンド信号の特徴量と各楽曲の特徴量と突き合わせ、もっとも適合する楽曲を特定する。掲示板識別情報特定部２０５は掲示板基礎情報データベース２０７を参照して現在有効な電子掲示板の中に楽曲コードと対応するものがあるかどうかを判別し、ある場合には、その掲示板識別情報を検索結果情報送信部２１０を介してクライアント端末１００に送信する。検索結果閲覧部１０４は検索ヒットした楽曲のデータを利用者に表示する。掲示板閲覧部１０５は、掲示板識別情報を用いて楽曲に関連付けられた電子掲示板へのアクセスを可能にする。【選択図】  図１
2006301683.tif 000002
【特許請求の範囲】
【請求項１】
端末から送られてきた楽曲のサウンド信号を入力するサウンド信号入力手段と、
上記サウンド信号入力手段で入力されたサウンド信号に対応する楽曲を特定する楽曲特定手段と、
楽曲と当該楽曲に対応する電子掲示板の識別情報とを関係付ける関係付け情報を記憶する関係付け手段と、
上記楽曲特定手段により特定された楽曲に対応する電子掲示板の識別情報を上記関係付け手段から取得する識別情報取得手段と、
上記識別情報取得手段で取得した電子掲示板の識別情報を上記端末に送信する識別情報送信手段と、
上記識別情報を用いて送信されてきた投稿情報を受信して電子掲示板の投稿情報として記録し、記録した投稿情報を閲覧要求に基づいて出力する投稿情報処理手段とを有することを特徴とする電子掲示板処理装置。
【請求項２】
上記関係付け手段が記憶する関係付け情報は、所定の有効期間を有する請求項１記載の電子掲示板処理装置。
【請求項３】
上記楽曲特定手段が楽曲を特定したときに、当該楽曲に対応する有効な関係付け情報がない場合に、新しい電子掲示板の識別情報を生成し、当該楽曲と当該識別情報を関係付ける関係付け情報を生成し、当該関係付け情報を上記関係付け手段に登録する登録手段をさらに有し、上記投稿情報処理手段は、新たに生成された上記識別情報に対応する電子掲示板データを生成して、上記掲示板データを利用して、当該識別情報を用いて送信されてきた投稿情報を受信して当該新たな電子掲示板の投稿情報として記録し、記録した投稿情報を閲覧要求に基づいて出力する請求項２記載の電子掲示板処理装置。
【請求項４】
サウンド信号入力手段が、端末から送られてきた楽曲のサウンド信号を入力するステップと、
楽曲特定手段が、上記サウンド信号入力手段で入力されたサウンド信号に対応する楽曲を特定するステップと、
関係付け手段が、楽曲と当該楽曲に対応する電子掲示板の識別情報とを関係付ける関係付け情報を記憶するステップと、
識別情報取得手段が、上記楽曲特定手段により特定された楽曲に対応する電子掲示板の識別情報を上記関係付け手段から取得するステップと、
識別情報送信手段が、上記識別情報取得手段で取得した電子掲示板の識別情報を上記端末に送信するステップと、
投稿情報処理手段が、上記識別情報を用いて送信されてきた投稿情報を受信して電子掲示板の投稿情報として記録し、記録した投稿情報を閲覧要求に基づいて出力するステップとを有することを特徴とする電子掲示板処理方法。
【請求項５】
端末から送られてきた検索要求を受け取る検索要求受信手段と、
上記検索要求受信手段で受信された検索要求に基づいて検索を実行する検索手段と、
検索結果と当該検索結果に対応する電子コミュニケーションシステムの識別情報とを関係付ける関係付け情報を記憶する関係付け手段と、
上記検索手段による検索結果に対応する電子コミュニケーションシステムの識別情報を上記関係付け手段から取得する識別情報取得手段と、
上記識別情報取得手段で取得した電子コミュニケーションシステムの識別情報を上記端末に送信する識別情報送信手段と、
上記識別情報を用いて送信されてきたメッセージを受信して電子コミュニケーションシステムのメッセージとして記録し、記録したメッセージを出力するメッセージ処理手段とを有することを特徴とする電子コミュニケーション処理装置。
【請求項６】
上記電子コミュニケーションシステムは電子掲示板である請求項５記載の電子コミュニケーション処理装置。
【請求項７】
上記検索要求は楽曲の検索要求である請求項５または６記載の電子コミュニケーションシステム。
【請求項８】
上記検索手段は、楽曲に対応するサウンド信号に基づいて楽曲の検索を行なう請求項７記載の電子コミュニケーション処理装置。
【請求項９】
上記検索手段は、楽曲の属性情報に対するキーワードを指定して楽曲の検索を行なう請求項７記載のコミュニケーション処理装置。
【請求項１０】
検索要求受信手段が、端末から送られてきた検索要求を受け取るステップと、
検索手段が、上記検索要求受信手段で受信された検索要求に基づいて検索を実行するステップと、
関係付け手段が、検索結果と当該検索結果に対応する電子コミュニケーションシステムの識別情報とを関係付ける関係付け情報を記憶するステップと、
識別情報取得手段が、上記検索手段による検索結果に対応する電子コミュニケーションシステムの識別情報を上記関係付け手段から取得するステップと、
識別情報送信手段が、上記識別情報取得手段で取得した電子コミュニケーションシステムの識別情報を上記端末に送信するステップと、
メッセージ処理手段が、上記識別情報を用いて送信されてきたメッセージを受信して電子コミュニケーションシステムのメッセージとして記録し、記録したメッセージを出力するステップとを有することを特徴とする電子コミュニケーション処理方法。
【発明の詳細な説明】
【技術分野】
【０００１】
この発明は、電子掲示板等の電子コミュニケーションの処理技術に関し、とくに、検索例えばサウンド信号に基づく楽曲検索というイベントに着目してコミュニケーションを行なえるようにしたものである。
【背景技術】
【０００２】
例えば特許文献１および２に示されるように、サウンド入力を行なって楽曲を検索するシステムが知られている。このような楽曲検索システムは、サウンドから特徴量を抽出してその特徴量に基づいて楽曲データベースから楽曲を検索する。利用者は、サウンドしか端緒がない場合でも、簡易に楽曲検索を行なえ、検索結果に基づいて楽曲媒体や楽曲データを購入等することができる。
【０００３】
ところで、サウンドから楽曲を検索する利用者は、サウンドに興味を覚えた者であるので、同じサウンド（楽曲）に興味を覚えた者と意見交換し、そのような興味から種々の話題へと展開することが予想される。楽曲の検索を端緒として、利用者を関連のコミュニケーションシステム例えば電子掲示板に誘導できれば、大変に有益である。
【０００４】
本発明者は、このような点から本発明をなすにいたった。
【特許文献１】特開平１１−１２０１９８号公報
【特許文献２】特開平１１−１８４８８３号公報
【発明の開示】
【発明が解決しようとする課題】
【０００５】
この発明は、以上の事情を考慮してなされたものであり、楽曲検索というイベントに着目してコミュニケーションを行なえるようにする電子コミュニケーション処理技術を提供することを目的としている。
【課題を解決するための手段】
【０００６】
この発明によれば、上述の目的を達成するために、特許請求の範囲に記載のとおりの構成を採用している。ここでは、発明を詳細に説明するのに先だって、特許請求の範囲の記載について補充的に説明を行なっておく。
【０００７】
すなわち、この発明の一側面によれば、上述の目的を達成するために、電子掲示板処理装置に：端末から送られてきた楽曲のサウンド信号を入力するサウンド信号入力手段と；上記サウンド信号入力手段で入力されたサウンド信号に対応する楽曲を特定する楽曲特定手段と；楽曲と当該楽曲に対応する電子掲示板の識別情報とを関係付ける関係付け情報を記憶する関係付け手段と；上記楽曲特定手段により特定された楽曲に対応する電子掲示板の識別情報を上記関係付け手段から取得する識別情報取得手段と；上記識別情報取得手段で取得した電子掲示板の識別情報を上記端末に送信する識別情報送信手段と；上記識別情報を用いて送信されてきた投稿情報を受信して電子掲示板の投稿情報として記録し、記録した投稿情報を閲覧要求に基づいて出力する投稿情報処理手段とを設ける様にしている。
【０００８】
この構成においては、楽曲に対応した電子掲示板に利用者を誘導することが可能になる。
【０００９】
関係付け情報が関係付けるのは楽曲と電子掲示板との間であるが、直接に楽曲と電子掲示板とを一対一に対応づけても良いし、ジャンル等の楽曲のグループを介して関係付けても良い。すなわち、グループと電子掲示板とを関係付け、楽曲のグループを特定し、特定したグループに基づいて電子掲示板を決定しても良い。楽曲のジャンル等のグループは楽曲の属性として所定のデータベースを参照して取得できる。
【００１０】
また、この構成において、上記関係付け手段が記憶する関係付け情報は、所定の有効期間を有するようにすることが好ましい。また、上記電子掲示板の有効期限を予め定めておくことが好ましい。例えば作成日時から数時間または数日と定める。この場合、限定された機械しか提供されないので、コミュニケーションの密度が高くなることが期待できる。
【００１１】
また、楽曲特定手段が楽曲を特定したときに、当該楽曲に対応する有効な関係付け情報がない場合に、新しい電子掲示板の識別情報を生成し、当該楽曲と当該識別情報を関係付ける関係付け情報を生成し、当該関係付け情報を登録する登録手段をさらに設け、上記投稿情報処理手段は、新たに生成された上記識別情報に対応する電子掲示板データ（電子掲示板オブジェクト）を生成して、上記電子掲示板データを利用して、当該識別情報を用いて送信されてきた投稿情報を受信して当該新たな電子掲示板の投稿情報として記録し、記録した投稿情報を閲覧要求に基づいて出力するようにすることが好ましい。
【００１２】
また、この発明の他の側面によれば、上述の目的を達成するために、電子コミュニケーション処理装置に：端末から送られてきた検索要求を受け取る検索要求受信手段と；上記検索要求受信手段で受信された検索要求に基づいて検索を実行する検索手段と；検索結果と当該検索結果に対応する電子コミュニケーションシステムの識別情報とを関係付ける関係付け情報を記憶する関係付け手段と；上記検索手段による検索結果に対応する電子コミュニケーションシステムの識別情報を上記関係付け手段から取得する識別情報取得手段と；上記識別情報取得手段で取得した電子コミュニケーションシステムの識別情報を上記端末に送信する識別情報送信手段と；上記識別情報を用いて送信されてきたメッセージを受信して電子コミュニケーションシステムのメッセージとして記録し、記録したメッセージを出力するメッセージ処理手段とを設けるようにしている。
【００１３】
この構成においては所定の検索に着目して利用者を電子コミュニケーションシステムに誘導できる。
【００１４】
この構成において、上記電子コミュニケーションシステムは典型的には電子掲示板である。もちろんその他の電子コミュニケーションシステムでもよく、例えば、メーリングリストシステムやチャットシステムでもよい。
【００１５】
また、上記検索要求は例えば楽曲の検索要求であるが、これに限定されない、文書の検索や物品、商品の検索でも良い。
【００１６】
また、上記楽曲の検索要求は楽曲に対応するサウンド信号を伴うものでもよいし、アーティスト名等のキーワードを用いたものでも良い。
【００１７】
なお、この発明は装置またはシステムとして実現できるのみでなく、方法としても実現可能である。また、そのような発明の一部をソフトウェアとして構成することができることはもちろんである。またそのようなソフトウェアをコンピュータに実行させるために用いるソフトウェア製品もこの発明の技術的な範囲に含まれることも当然である。
【００１８】
この発明の上述の側面および他の側面は特許請求の範囲に記載され以下実施例を用いて詳述される。
【発明の効果】
【００１９】
この発明によれば、検索に着目して利用者を最適な電子コミュニケーションシステムに誘導できる。
【発明を実施するための最良の形態】
【００２０】
以下、この発明の実施例について説明する。
【実施例１】
【００２１】
図１は、この発明を楽曲検索システムに適用した実施例１を機能ブロックの組み合わせてとして示している。具体的な実装例は図２に示す。図１の各機能ブロックは、実際にはサーバコンピュータやクライアント端末（この例では携帯電話機）上で実行されるプロセスにより実現され、サーバコンピュータやクライアント端末のハードウェア資源とソフトウェア資源とを協同させて実現される。
【００２２】
図１において、クライアント端末１００は、マイクロホン１０１、サウンド信号送信部１０２、検索結果情報受信部１０３、検索結果閲覧部１０４、掲示板閲覧部１０５、検索結果情報テーブル１０６等を含んで構成されている。
【００２３】
クライアント端末１００は、例えば、図３に示すような携帯電話機１０であり、この携帯電話機１０は、表示部１１、操作部１２、マイクロホン１３、スピーカ１４等を含んでおり、通話に用いるとともに、ウェブ閲覧機能１５やメール送信・閲覧機能１６を有している。もちろん、クライアント端末１００をパーソナルコンピュータやインテリジェント家庭電気製品等、種々の情報端末で構成できる。
【００２４】
楽曲検索システム２００は、サウンド信号受信部２０１、特徴量抽出部２０２、楽曲特定部２０３、楽曲特徴量データベース２０４、掲示板識別情報特定部２０５、掲示板基礎情報登録部２０６、掲示板基礎情報データベース２０７、投稿・閲覧要求処理部２０８、投稿情報データベース２０９、検索結果情報送信部２１０等を含んで構成される。
【００２５】
クライアント端末１００および楽曲検索システム２００の間は電話通信網（移動体通信網を含む）３０１およびデータ通信網（パケット網、インターネットを含む）３０２により接続される。
【００２６】
クライアント端末１００を音源に近づけてサウンド信号を採取して、例えば電話通信網３０１を介して楽曲検索システム２００に送ると、楽曲検索システム２００は受信したサウンド信号に基づいて楽曲を検索し、検索結果情報（後述の掲示板識別情報を含む）をクライアント端末１００に返す。クライアント端末１００は検索結果情報から楽曲のデータを閲覧等でき、また検索結果情報に含まれる掲示板識別情報を用いて楽曲に応じて例えば一時的に形成された電子掲示板にデータ通信網３０２を介してアクセスできる。
【００２７】
つぎにクライアント端末１００および楽曲検索システム２００の各部について説明する。
【００２８】
クライアント端末１００のマイクロホン１０１は、例えば図３のマイクロホン１３である。サウンド信号送信部１０２は、楽曲検索時に楽曲検索システム２００に発信して呼接続し、音源（視聴覚機器や街頭や店舗内で流れる音楽）からサウンド信号をマイクロホン１３により取得して電話通信網３０１を介して楽曲検索システム２００に送信する。サウンド信号の送信時間は例えば１０秒ないし数１０秒であり、適宜な時間経過後、呼接続を切る。呼接続や呼切断はサウンド信号送信部１０２が自動で行なっても良いし、ユーザが手作業で行なっても良い。
【００２９】
楽曲検索システム２００のサウンド信号受信部２０１は、クライアント端末１００のサウンド信号送信部１０２から送られてくるサウンド信号を受信し、これを特徴量抽出部２０２に供給する。また、図では示さないが、サウンド信号受信部２０１は、メール等の添付ファイルやＨＴＴＰのＰＵＴメソッドで送られてくるサウンドファイルを受け取って必要に応じてサウンドフォーマット変換しサウンド信号として特徴量抽出部２０２に供給しても良い。
【００３０】
特徴量抽出部２０２は、これに限定されない場、典型的には、旋律に関する特徴量やリズムに関する特徴量を抽出する。
【００３１】
楽曲特定部２０３は、特徴量抽出部２０２からサウンド信号の特徴量を受け取り、これを楽曲特徴量データベース２０４に記憶されている各楽曲の特徴量とマッピングさせ、もっとも適合する楽曲を特定し、例えば楽曲コードを出力する。楽曲特定部２０３は楽曲コードを掲示板識別情報特定部２０５および検索結果情報送信部２１０に供給する。なお、楽曲特徴量データベース２０４は特徴量の他に楽曲の属性データ、例えば、ジャンル、アーティスト名等を含んでも良い。
【００３２】
掲示板識別情報特定部２０５は掲示板基礎情報データベース２０７を参照して現在有効な電子掲示板の中に楽曲コードと対応するものがあるかどうかを判別し、ある場合には、その掲示板識別情報を検索結果情報送信部２１０に出力する。現在有効な電子掲示板の中に楽曲コードと対応するものがない場合には、掲示板識別情報特定部２０５は、掲示板基礎情報登録部２０６を起動し、掲示板基礎情報登録部２０６は楽曲コードに対して新たな電子掲示板（オブジェクト）を生成し、その内容を掲示板基礎情報データベース２０７に登録し、さらに、当該電子掲示板の識別情報を電子掲示板識別情報特定部２０５に返す。電子掲示板識別情報特定部２０５はその掲示板識別情報を検索結果情報送信部２１０に供給する。
【００３３】
検索結果情報送信部２１０は、検索結果情報（楽曲コードまたは検索失敗、および掲示板識別情報を含む）をクライアント端末１００の検索結果情報受信部１０３に送信する。検索結果情報の送信はクライアント端末１００のアドレスおよびポート（楽曲検索を閲覧するためのプログラムのポート）を指定して送っても良いし、メール送信しても良い。
【００３４】
クライアント端末１００の検索結果情報受信部１０３は検索結果情報を受信し、そのうちの検索ヒットした楽曲のデータを検索結果閲覧部１０４に供給し、掲示板識別情報を掲示板閲覧部１０５に供給し、また検索結果情報を検索結果情報テーブル１０６に登録する。
【００３５】
検索結果閲覧部１０４は検索ヒットした楽曲のデータを利用者に表示する。利用者はこのデータ（楽曲コード）を用いて楽曲の一部または全部を外部データベースから例えば有料で取得できる。
【００３６】
掲示板閲覧部１０５は、掲示板識別情報を用いて楽曲に関連付けられた電子掲示板へのアクセスを可能にする。例えば掲示板閲覧部１０５は、掲示板識別情報を用いて閲覧要求（ＧＥＴメソッド）や投稿要求（ＰＵＴメソッド）をデータ通信網３０２を介して楽曲検索システム２００の投稿・閲覧要求処理部２０８に送る。投稿・閲覧要求処理部２０８は識別情報に対応した電子掲示板を電子掲示板基礎情報データベース２０７を参照して特定し、当該電子掲示板に関して投稿情報データベース２０９をアクセスして投稿内容の記録や閲覧対象の記事取得を行う。閲覧対象の記事はクライアント端末１００の掲示板閲覧部１０５に返され利用者の閲覧を可能にする。
【００３７】
適合する楽曲がない場合には、検索結果なしとして処理することになる。
楽曲検索システム２００は、サウンド信号受信部２０１、特徴量抽出部２０２、楽曲特定部２０３、楽曲特徴量データベース２０４、掲示板識別情報特定部２０５、掲示板基礎情報登録部２０６、掲示板基礎情報データベース２０７、投稿・閲覧要求処理部２０８、投稿情報データベース２０９、検索結果情報送信部２１０等を含んで構成される。
【００３８】
なお、この例では、楽曲検索システム２００に電子掲示板の機能を設けるようにしたが、電子掲示板の機能を楽曲検索システム２００と別個に設けることができることはもちろんである。この場合、クライアント端末１００を特定する情報と楽曲コード等の楽曲を特定する情報のペアを楽曲検索システム２００から、またはクライアント端末１００から、電子掲示板の機能を実現するシステム（サーバコンピュータまたはサーバコンピュータ群）に供給する必要がある。
【００３９】
図２は、この実施例の実装構成を示しており、この図において図１と対応する箇所には対応する符号を付した。図２に示す実装例では、楽曲検索システム２００を、ウェブサーバ（サーバコンピュータ。以下同様）２０、アプリケーションサーバ２１、データベース管理システム２２、楽曲検索エンジン２３、ＬＡＮ２４、ルータ２５、電話通信網インタフェース２６等を含んで構成する。またこのシステム２００は、電子メールによりＵＲＬ等のデータやファイルの送受信を行なう場合にはＳＭＴＰやＰＯＰ3等のメールサーバを含む。ウェブサーバ２０、アプリケーションサーバ２１およびデータベース管理システム２２により電子掲示板機能を実現する。またアプリケーションサーバ２１により掲示板識別情報特定部２０５、掲示板基礎情報登録部２０６、検索結果送信部２１０等と実現する。検索エンジン２３は、特徴量抽出部２０２や楽曲特定部２０３を実現する。検索エンジン２３をアプリケーションサーバ２１で実現してもよい。
【００４０】
つぎにこの実施例の動作について説明する。
【００４１】
図４は、楽曲検索システム２００の楽曲検索処理を示しており、その処理は以下の通りである。
【００４２】
［ステップＳ１０］：信号受信部２０１がクライアント端末１００から電話通信網３０１等を介して送られてくるサウンド信号を受信する。
［ステップＳ１１］：特徴量抽出部２０２がサウンド信号を分析して旋律特徴およびリズム特徴等の特徴量を抽出する。なおサウンドデータのファイルを用いても良い。特徴抽出のサウンドフォーマットが固定の場合には適宜にサウンドフォーマットを変換する。
［ステップＳ１２］：楽曲特定部２０３がサウンド信号の特徴量と楽曲特徴量データベース２０４の各楽曲の特徴量とをマッピングして最適な楽曲を特定し、例えば楽曲コードを出力する。
［ステップＳ１３］：掲示板識別情報特定部２０５が、楽曲識別情報例えば楽曲コードに基づいて掲示板基礎情報データベース２０７を参照して掲示板識別情報を取得する。掲示板基礎情報データベース２０７に管理される掲示板基礎情報は、これに限定されないが、例えば図７に示すように掲示板識別情報、楽曲識別情報、タイトル（掲示板のタイトルで、楽曲に関連するもの。例えば楽曲名）、作成時刻、投稿記事保存期間等の属性を保持する。電子掲示板は、作成時刻から所定時間例えば２４時間経過すると無効になるように設定している。あるいは作成時刻から所定時間経過後に、電子掲示板のデータを削除しても良い。電子掲示板の識別情報は一意に特定できるものであればどのようなものでもよく、例えば、ＧＵＩＤ（グローバリ・ユニーク・アイデンティファイヤ）等を用いても良い。楽曲識別情報は、例えば所定の管理団体が管理する楽曲コードであるが、これに限定されず、一意に楽曲を特定できればどのようなものでもよい。有効な電子掲示板がない場合には、掲示板基礎情報登録部２０６が、掲示板基礎情報を作成して電子掲示板を生成する。掲示板識別情報特定部２０５は、新たに生成された掲示板基礎情報の識別情報を取得する。
［ステップＳ１４］：検索結果情報送信部２１０は、検索ヒットした楽曲識別情報（楽曲コード）および掲示板識別情報を含む検索結果情報をクライアント端末１００に送信する。送信は、例えば、クライアント端末１００の検索結果情報受信部１０３に対応するプロセスのポート番号を指定してクライアント端末１００のアドレスに宛てに行なう。クライアント端末１００のアドレスは送信者通知情報およびユーザ登録情報に基づいて決定できる。
【００４３】
なお、掲示板基礎情報は、楽曲識別情報に加え、あるいはこれに換えてジャンル等の楽曲グループの識別情報を含んでも良い。あるいはアーティスト名等を含んでも良い。この場合に、ジャンル等のグループやアーティスト毎に電子掲示板を準備しても良い。掲示板識別情報特定部２０５が、例えば、特定された楽曲のジャンル、アーティスト名等を楽曲特徴量データベース２０４またはその他の楽曲データベースから取得して、これに基づいて、楽曲のジャンルやアーティスト等に対応した電子掲示板識別情報を出力するようにしても良い。
【００４４】
クライアント端末１００の検索結果閲覧部１０４は、検索結果情報を受信したクライアント端末１００の検索結果情報に含まれる楽曲識別情報を用いて楽曲データを閲覧して楽曲のサウンドデータの購買処理等を可能にする。また、掲示板閲覧部１０５が、検索結果情報に含まれる掲示板識別情報を用いて掲示板への投稿・閲覧を可能にする。
【００４５】
また、クライアント端末１００の検索結果情報受信部１０３は検索結果情報を検索結果情報テーブル１０６に登録して後に楽曲のサウンドデータ取得や、掲示板閲覧等に利用できるようにする。検索結果情報テーブル１０６の検索結果情報は例えば図９に示すようなものである。検索結果情報テーブル１０６のエントリは例えば掲示板作成時刻（あるいはエントリ登録時刻）から所定時間経過したものは無効に設定したり、削除したりすることができる。
【００４６】
図５は、楽曲検索システム２００の投稿要求処理の動作を示しており、その処理は以下のとおりである。
【００４７】
［ステップＳ２０］：投稿・閲覧要求処理部２０８が、掲示板識別情報、投稿記事を含む投稿要求を受け取る。掲示板識別情報は、引数として扱われていても良いし、ＵＲＬ等のパスとして指定されていても良い。
［ステップＳ２１］：投稿・閲覧要求処理部２０８が掲示板識別情報に基づいて掲示板基礎情報データベース２０７を参照して楽曲に対応する電子掲示板を特定する。
［ステップＳ２２］：特定した電子掲示板に記事を記録する。投稿記事のレコードは例えば図８に示すようなものである。このレコード中の投稿時刻に基づいて記事の寿命を規定できる。もちろん、有効時間を無指定にして寿命を無期限にしてもよい。ただし、電子掲示板が所定時間で無効になる設定になっていると（この実施例の基本設定）、記事自体も無効になる。
【００４８】
図６は、楽曲検索システム２００の閲覧要求処理の動作を示しており、その処理は以下のとおりである。
【００４９】
［ステップＳ３０］：投稿・閲覧要求処理部２０８が、掲示板識別情報を含む閲覧要求を受け取る。
［ステップＳ３１］：投稿・閲覧要求処理部２０８が掲示板識別情報に基づいて掲示板基礎情報データベース２０７を参照して楽曲に対応する電子掲示板を特定する。
［ステップＳ３２］：投稿・閲覧要求処理部２０８が、特定した掲示板から記事をクライアント端末１００宛に送信する。
【００５０】
この実施例によれば楽曲検索のタイミングで利用者を電子掲示板に誘導することができる。
【実施例２】
【００５１】
つぎにこの発明の実施例２について説明する。この実施例はコミュニケーションシステムとして電子掲示板システムでなくメーリングリストシステムを利用するものである。
【００５２】
図１０は、実施例２の構成を示しており、この図において図１と対応する箇所には対応する符号を付した。
【００５３】
図２において、クライアント端末１００は、ＭＬ投稿閲覧部１０５ａを有する。このＭＬ投稿閲覧部１０５ａはメールエージェントであり、例えば、図３のメール送信・閲覧機能１６である。
【００５４】
楽曲検索システム２００は、ＭＬ識別情報特定部２０５ａ、ＭＬ基礎情報登録部２０６ａ、ＭＬ基礎情報データベース２０７ａ、メール処理部２０８ａ、ＭＬログデータベース２０９ａを有している。基本的には電子掲示板のかわりにメーリングリストの情報を扱うものであり、同様に処理される。メール処理部２０８ａはＳＭＴＰサーバやＰＯＰ３サーバである。
【００５５】
この実施例でも楽曲検索のタイミングで利用者をメーリングリストに誘導することができる。
【００５６】
以上で実施例の説明を終了する。
【００５７】
なお、この発明は上述の実施例に限定されるものではなくその趣旨を逸脱しない範囲で種々変更が可能である。例えば、上述の例では、コミュニケーションシステムとして電子掲示板やメーリングシステムを例に挙げたが、広くコミュニケーションシステムに適用できる。例えばチャットシステムに適用してもよい。また、楽曲検索もサウンド信号を用いるのでなく、アーティスト名等で検索するものでもよい。
【００５８】
同じ曲目を複数のアーティストがカバーする場合には、アーティストごとにコミュニケーションシステム（例えば掲示板）を割り当てても、曲目単位にコミュニケーションシステムを割り当ててもよい。またジャンルごとにコミュニケーションシステムを割り当てても良い。
【００５９】
さらに、楽曲検索に限らず、文書検索や物品、サービス、商品、知識の検索に適用しても良い。この場合、検索結果が複数のエントリを含むことが予想される場合もあるが、この場合、最上位のヒットエントリに着目して電子掲示板を対応づけたり、上位の所定数のヒットエントリに着目してＡＮＤ条件（すべてのエントリが一致すれば同一の電子掲示板となる）でまたはＯＲ条件（いずれかのエントリが一致するだけで同一の電子掲示板となる）で電子掲示板に対応づけても良く、エントリのすべてに基づいて厳密に特定して対応づけても良く、その他種々の対応で対応づけが可能である。また、検索対処を分類して分類ごとにコミュニケーションシステムを割り当てても良い。
【００６０】
図１１は、上述の実施例の変形例を示すものであり、検索システム４００は、所定の種類の検索対象、例えば、文書、物品、サービス、人物、組織、知識等、所定の種類の検索対象を検索するものである。
【００６１】
図１１において、図１と対応する箇所には対応する符号を付した。検索システム４００が提供するコミュニケーションシステムの機能は、メッセージ投稿・閲覧要求処理部２０８ｂ、コミュニケーションシステム基礎情報データベース２０７ｂ、メッセージデータベース２０９ｂ等を含んで構成される。メッセージデータベース２０９ｂはコミュニケーションシステムにより流通するメッセージを保管するものである。
【００６２】
利用者データベース２１１は利用者の属性を保持するものであり、破線で示すように、これを参照して、特定のオプションを登録している利用者にのみコミュニケーションシステムの機能を利用可能にしてもよい。また、検索要求に随伴するオプションによりコミュニケーションシステムの利用を指定できるようにしてもよい。なお、クライアント端末１００側では、検索要求入力部１０１ｂが検索要求、例えば、楽曲の属性、例えばアーティスト名、文書中の重要語句、人名、組織名等を伴う検索要求を入力し、検索要求送信部１０２ｂが例えばＨＴＴＰのＰＵＴメソッドで送信要求を検索システム４００の検索要求部２０１ｂに送信する。
【００６３】
検索部２０３ｂは検索対象データベース（例えば検索インデックスや関係データベース）２０４ｂを参照して楽曲、文書等の検索を行なう。コミュニケーションシステム識別情報特定部２０５ｂは検索結果に基づいてコミュニケーションシステム基礎情報データベース２０７ｂを参照して該当するコミュニケーションシステムの識別情報を特定する。該当するコミュニケーションシステムがない場合または有効でない場合、コミュニケーションシステム基礎情報登録部２０６ｂが当該基礎情報を登録する。
【００６４】
このようにこの変形例でも、検索に着目して利用者を最適なコミュニケーションシステムに誘導できる。しこもこの例では、コミュニケーションシステムへの誘導をオプションにすることもできる。
【図面の簡単な説明】
【００６５】
【図１】この発明の実施例１を機能ブロックを用いて示すブロック図である。
【図２】上述実施例１の実装例を説明する図である。
【図３】上述実施例１のクライアント端末の例を説明する図である。
【図４】上述実施例１の楽曲検索時の処理の例を説明するフローチャートである。
【図５】上述実施例１の記事投稿時の処理の例を説明するフローチャートである。
【図６】上述実施例１の記事閲覧時の処理の例を説明するフローチャートである。
【図７】上述実施例１の掲示板システムの基礎情報の例を説明する図である。
【図８】上述実施例１の投稿記事の情報の例を説明する図である。
【図９】上述実施例１の掲示板識別情報テーブルの例を説明する図である。
【図１０】この発明の実施例２を説明するブロック図である。
【図１１】上述実施例１および実施例２の変形例を説明するブロック図である。
【符号の説明】
【００６６】
１０       携帯電話機
１１       表示部
１２       操作部
１３       マイクロホン
１４       スピーカ
１５       ウェブ閲覧機能
１６       メール送信・閲覧機能
２０       ウェブサーバ
２１       アプリケーションサーバ
２２       データベース管理システム
２３       楽曲検索エンジン
２４       ＬＡＮ
２５       ルータ
２６       電話通信網インタフェース
１００    クライアント端末
１０１    マイクロホン
１０２    サウンド信号送信部
１０３    検索結果情報受信部
１０４    検索結果閲覧部
１０５    掲示板閲覧部
１０５ａ  ＭＬ投稿閲覧部
１０６    検索結果情報テーブル
２００    楽曲検索システム
２０１    サウンド信号受信部
２０２    特徴量抽出部
２０３    楽曲特定部
２０４    楽曲特徴量データベース
２０５    掲示板識別情報特定部
２０５ａ   ＭＬ識別情報特定部
２０５    電子掲示板識別情報特定部
２０６ａ  ＭＬ基礎情報登録部
２０６    掲示板基礎情報登録部
２０７    掲示板基礎情報データベース
２０７ａ  ＭＬ基礎情報データベース
２０８    投稿・閲覧要求処理部
２０８ａ   メール処理部
２０９    投稿情報データベース
２０９ａ   ログデータベース
２１０    検索結果情報送信部
２１０    検索結果送信部
３０１    電話通信網
３０２    データ通信網
【図１】
2006301683.tif 000003
【図３】
2006301683.tif 000004
【図４】
2006301683.tif 000005
【図５】
2006301683.tif 000006
【図６】
2006301683.tif 000007
【図７】
2006301683.tif 000008
【図８】
2006301683.tif 000009
【図９】
2006301683.tif 000010
【図１０】
2006301683.tif 000011
【図１１】
2006301683.tif 000012
【図２】
2006301683.tif 000013